(57)【要約】【課題】  吸込口カバーが簡単に浮き上がったり、変形したりするのを防止するとともに、着脱容易として通風路の内部を簡単に清掃し得るようにする。【解決手段】  吸込口１２の開口部に、上端に支持片１６を有する支持部材１７、１８を、通風路と連通するようにして設け、該支持部材１７、１８の支持片１６上に、複数の吸込孔１４を有する吸込口カバー１３を、その前端を外箱２の内面上部に設けた係止突部２８の下面に係止するとともに、後端が内箱３の内面に設けた棚板支持板２０における上端の前向片２０ａの前端と当接するようにして、着脱可能に載置する。【選択図】  図２
2005273992.tif 000002
【特許請求の範囲】
【請求項１】
外箱と内箱とからなり、かつ該外箱と内箱との間に冷気の通風路が形成されたケース本体内に、前面が開口する冷蔵室を形成し、該冷蔵室の前面に、前記通風路の上部前端に設けた冷気吹出口から、通風路の下部上端に設けた上方が開口する吸込口に向かって吹き出される冷気によりエアカーテンを形成することにより、前記冷蔵室を保冷するようにした冷蔵ショーケースにおいて、
前記吸込口の開口部に、上端に左右方向を向く支持片を有する支持部材を、前記通風路と連通するようにして設け、該支持部材の支持片上に、複数の吸込孔を有する吸込口カバーを、その前端を前記外箱前部の内面上部に設けた係止突部の下面に係止するとともに、後端が前記内箱前部の上端に連設された前向片と同一面をなしてその前端と当接するようにして、着脱可能に載置したことを特徴とする冷蔵ショーケース。
【請求項２】
支持部材における支持片の前端部を所要寸法切欠くことにより、外箱の内面と支持片の前端との間に隙間を設けた請求項１に記載の冷蔵ショーケース。
【請求項３】
吸込口カバーの後端に下向きの係止片を連設するとともに、内箱の前向片の前端に、前記係止片の後面が当接する下向きの当接片を設けた請求項１または２に記載の冷蔵ショーケース。
【発明の詳細な説明】
【技術分野】
【０００１】
本発明は、スーパーマーケットやデパート等の食品売場において、生鮮食料品などを保冷して陳列するのに用いられる冷蔵ショーケースに関する。
【背景技術】
【０００２】
この種の冷蔵ショーケースは、前面が開口された断熱構造の外箱と、この外箱の内方に所要の間隔を設けて配設された内箱との間に形成された冷気の通風路内に、冷却器と送風機とを収容し、送風機により圧送された冷気を、通風路の上端部の吹出口より吐出させ、通風路の前端下部の吸込口より吸引して循環させることにより、商品の冷蔵室の前面開放面に冷気のエアカーテンを形成し、商品を保冷するようになっている。
【０００３】
このような冷蔵ショーケースにおいては、通風路の内底部や排水口、冷気吸込口等を定期的に清掃する必要があるが、この清掃時に、商品収納部のベース棚板（底板）をその都度取外していたのでは、棚板上の商品を取除いたりするの手間が大変であるため、ベース棚板を取外すことなく、通風路の内部を清掃し得るようにした冷蔵ショーケースが提案されている（例えば特許文献１、２参照）。
【０００４】
【特許文献１】特開２００３−２９４３５１号公報（図２等）
【特許文献２】特開平８−１９３７７８号公報（図２等）
【発明の開示】
【発明が解決しようとする課題】
【０００５】
上記特許文献１に記載されている冷蔵ショーケースは、通風路の前端下部の上方が開口する冷気吸込口に取付けた支持部材の上面に、吸込孔を有する吸込口カバーを着脱可能に載置し、このカバーを取外すことにより、通風路の内部を清掃し得るようになっているが、吸込口カバーは、その後端を内箱の内面の上端まで延出させて支持部材上に単に載置されているため、商品収納部より商品を前方に取外す際において、商品が吸込口カバーの後端に引っ掛かるなどすると、吸込口カバーの後端が浮き上がり、がた付き音を発することがあった。
【０００６】
特許文献２に記載されている冷蔵ショーケースも、上述と同様、冷気吸込口に設けた吸込口カバーを取外すことにより、通風路内の清掃を容易とするものであるが、吸込口カバーと、その支持板との間に大きな隙間が形成されているため、商品の補充時等に、吸込口カバーの上面に商品収納ケース等を載置したりすると、吸込口カバーを下方に変形させる恐れがある。
【０００７】
本発明は、上記問題点を解決するためになされたもので、吸込口カバーが簡単に浮き上がったり、変形したりするのを防止するとともに、着脱容易として通風路の内部を簡単に清掃し得るようにした冷蔵ショーケースを提供することを目的としている。
【課題を解決するための手段】
【０００８】
上記目的を達成するために、本発明の請求項１に記載の冷蔵ショーケースは、
外箱と内箱とからなり、かつ該外箱と内箱との間に冷気の通風路が形成されたケース本体内に、前面が開口する冷蔵室を形成し、該冷蔵室の前面に、前記通風路の上部前端に設けた冷気吹出口から、通風路の下部上端に設けた上方が開口する吸込口に向かって吹き出される冷気によりエアカーテンを形成することにより、前記冷蔵室を保冷するようにした冷蔵ショーケースにおいて、
前記吸込口の開口部に、上端に左右方向を向く支持片を有する支持部材を、前記通風路と連通するようにして設け、該支持部材の支持片上に、複数の吸込孔を有する吸込口カバーを、その前端を前記外箱前部の内面上部に設けた係止突部の下面に係止するとともに、後端が前記内箱前部の上端に連設された前向片と同一面をなしてその前端と当接するようにして、着脱可能に載置したことを特徴としている。
この特徴によれば、吸込口カバーは、その前端が外箱前部の内面上部の係止突部の下面に係止され、かつ後端が内箱前部の上端の前向片と同一面をなしてその前端と当接するようにして、吸込口に設けた支持部材の支持片に載置されているため、吸込口カバーの後端に商品等が引っ掛かって浮き上がる恐れはなく、安定して載置される。
また、吸込口カバーを支持部材の支持片上より取外すことにより、ベース棚板を取付けたままで、通風路の内底部等を簡単に清掃することができる。
さらに、吸込口カバーは、支持部材の支持片上に直接載置され、それらの間に隙間が形成されていないので、吸込口カバーが強く押圧されても下方に変形することはない。
【０００９】
本発明の請求項２に記載の冷蔵ショーケースは、請求項１に記載の冷蔵ショーケースであって、
支持部材における支持片の前端部を所要寸法切欠くことにより、外箱の内面と支持片の前端との間に隙間を設けたことを特徴としている。
この特徴によれば、吸込口カバーの前端を隙間に向かって下方に押圧すると、後部側が跳ね上がるので、吸込口カバーに取手等を設けることなく簡単に取外すことができる。
【００１０】
本発明の請求項３に記載の冷蔵ショーケースは、請求項１または２に記載の冷蔵ショーケースであって、
吸込口カバーの後端に下向きの係止片を連設するとともに、内箱の前向片の前端に、前記係止片の後面が当接する下向きの当接片を設けたことを特徴としている。
この特徴によれば、吸込口カバーの後端の係止片と、内箱の前向片の係止片とが、左右方向に長い領域で当接しているので、互いの接触抵抗により、吸込口カバーの後端が妄りに浮き上がる恐れはなく、より安定して載置することができる。
【発明を実施するための最良の形態】
【００１１】
以下、本発明の実施形態を図面に基づいて説明する。
【００１２】
図１は、本発明の冷蔵ショーケース１の縦断側面図で、前面が開口されたほぼコ字形をなす断熱構造の外箱２と、その内方の、同じく前面が開口されたほぼコ字形の内箱３とからなるケース本体４の内部空間には、冷蔵室５が形成されている。内箱３の背面板３ａには、上下複数の棚板６が取付けられ、また内箱３の前端上部と背面板３ａの下端部との間には、ベース棚板７が取付けられている。
【００１３】
外箱２と内箱３との間に形成された通風路８の垂直部と内底部とには、冷却器９と送風機１０が収容されている。ケース本体４の上部の前端には、通風路８と連通する冷気吹出口１１が下向きに形成され、またケース本体４の下部における上向き部４ａの上端には、上方が開口する吸込口１２が形成されている。
【００１４】
送風機１０を作動させると、冷却器９を通過して冷却された冷気は、矢印で示すように、通風路８内を上方に向かって流れ、冷気吹出口１１より吐出して吸込口１２より吸引されることにより、冷気の循環路が形成され、かつケース本体４の前部開口面に冷気のエアカーテンが形成されることにより、冷蔵室５内が保冷されるようになっている。
【００１５】
上記吸込口１２には、図２に詳細を示すように、吸込口カバー１３が取付けられている。吸込口カバー１３は、図３にも示すように、前後方向のほぼ中央部より後方が下方になだらかに折曲された横長の平板状をなし、折曲部を挟む前後の面には、前後方向を向くスリット状の吸込孔１４が、左右方向に多数穿設されている。また、吸込口カバー１３の前後の端縁には、係止片１５ａ、１５ｂが、下向きに直角に連設されている。
【００１６】
吸込口１２の内部、すなわち外箱２の前部の内面と内箱３の前部の上向片３ｂの上端部間には、上端に左右方向に直角に折曲された支持片１６を有する前後２個の支持部材１７、１８が、互いの対向面をねじ止めしてケース本体４の左右方向に所定間隔おきに複数取付けられている。上記後部の支持部材１８の支持片１６は、若干後傾し、前後の支持片１６の上面に、吸込口カバー１３の下面が密着状に載置されるようになっている。
【００１７】
内箱３の上向片３ｂの後面（内面）には、上下複数の支持孔１９を有する棚板支持板２０が取付けられ、その上端に連設された、吸込孔２１を有する前向片２０ａの前端には、下向きの当接片２０ｂが連設されている。当接片２０ｂは、後部の支持部材１８の上端に形成された凹溝２２内に遊嵌されている。また、前向片２０ａは、後部の支持片１６の上面と密着している。
【００１８】
なお、上記棚板支持板２０を省略する際には、前向片２０ａと当接片２０ｂを、内箱３の上向片３ｂの上端に連設してもよい。
【００１９】
前部の支持部材１７の上端前部には、ほぼ４５°の切欠き２３が形成されている。また、外箱２の前部内面の上端部には、フェンス支持部材２４が、前部の支持部材１７の上端前部の切欠部２５と対向するように取付けられている。
【００２０】
フェンス支持部材２４の下端には、上向きコ字状断面の受け部２４ａが形成され、この受け部２４ａの左右両端部には、左右方向を向くフェンス２６の左右両端の下向きロッド２６ａが、吸込口カバー１３の左右両端部に穿設された挿通孔２７（図３参照）を貫通して支持されるようになっている。また、フェンス支持部材２４における後部の支持部材１７の支持片１６よりも若干上方には、係止突部２８が後ろ向きに突設されている。
【００２１】
吸込口カバー１３を吸込口１２に取付けるには、吸込口カバー１３を若干前下方に傾斜させて、前部側の係止片１５ａを、後部の支持部材１７の切欠き２３とフェンス支持部材２４の後面との間の隙間Ｓ内に挿入し、吸込口カバー１３の前端上部を、係止突部２８の下面に係止させる。
【００２２】
次いで、吸込口カバー１３の後端の係止片１５ｂを凹溝２２に向かって挿入し、その後面を、予め凹溝２２内に遊嵌されている当接片２０ｂの前面に密着状に当接させる。
【００２３】
これにより、吸込口カバー１３は、その下面が、左右複数個の支持部材１７，１８の支持片１６の上面に当接して支持されるとともに、前端は係止突部２８により保持され、かつ後端は、係止片１５ｂと当接片２０ｂとの接触抵抗により上方に簡単に浮き上がるのが防止されて、支持部材１７、１８の支持片１６上に安定して載置される。
【００２４】
しかも、吸込口カバー１３の後端と棚板支持板２０の前向片２０ａの前端とは、互いに同一面をなして当接しているため、吸込口カバー１３の後端に商品等が引っ掛かる恐れもない。
【００２５】
吸込口カバー１３を取外す際は、その前端部上面を隙間Ｓに向かって強く押圧すれば、吸込口カバー１３が切欠き２３の上端を支点として後方が跳ね上がることにより、容易に外すことができる。また、吸込孔１４に取外し工具を引っ掛けて、上方に引き上げて取外すこともできる。
【００２６】
本発明は、上記実施形態に限定されるものではない。
【００２７】
吸込口カバー１３を、図４に示すように、後部側の係止片１５ｂを省略した形状とし、その後端を単に棚板支持板２０における前向片２０ａの前端に、互いに同一面をなして当接させるのみとしてもよい。
【００２８】
このようにしても、吸込口カバー１３の後端に商品等が引っ掛かるのが防止されるので、その後端側が浮き上がる恐れはない。
【００２９】
吸込口カバー１３の前端上部を係止する係止突部２８は、フェンス支持部材２４を省略した際には、外箱２の前部の内面に直接設けてもよいことは勿論である。
【００３０】
また、図３の２点鎖線で示すように、吸込口カバー１３の後部側の左右両端部に、該吸込口カバー１３を取外す際の、吸込孔を兼ねる指掛け孔２９を設けてもよい。
【図面の簡単な説明】
【００３１】
【図１】本発明の冷蔵ショーケースの縦断側面図である。
【図２】同じく、前端下部における吸込口カバー取付部の拡大断面図である。
【図３】吸込口カバーの一部の斜視図である。
【図４】吸込口カバーの変形例と、これを取付けた状態の要部の断面図である。
【符号の説明】
【００３２】
１                冷蔵ショーケース
２                外箱
３                内箱
３ａ              背面板
３ｂ              上向片
４                ケース本体
４ａ              上向き片
５                冷蔵室
６                棚板
７                ベース棚板
８                通風路
９                冷却器
１０              送風機
１１              冷気吹出口
１２              吸込口
１３              吸込口カバー
１４              吸込孔
１５ａ、１５ｂ    係止片
１６              支持片
１７、１８        支持部材
１９              支持孔
２０              棚板支持板
２０ａ            前向片
２０ｂ            当接片
２１              吸込孔
２２              凹溝
２３              切欠き
２４              フェンス支持部材
２４ａ            受け部
２５              切欠部
２６              フェンス
２６ａ            下向きロッド
２７              挿通孔
２８              係止突部
２９              指掛け孔
Ｓ                隙間
【図１】
2005273992.tif 000003
【図２】
2005273992.tif 000004
【図３】
2005273992.tif 000005
【図４】
2005273992.tif 000006